(57)【要約】【課題】プラズマ中に不要なガスが混入しないようにすることにある。【解決手段】プラズマを発生するプラズマ発生部と、液体カーテンを形成する液体供給部を備え、プラズマを液体カーテンで覆う、プラズマ源にあり、又は、プラズマを液体カーテンで覆う液体供給部と、液体供給部に対向して配置され、被処理物を保持する保持部と、を備え、液体カーテンで覆われたプラズマで被処理物を処理する、処理装置にあり、又は、液体カーテンを形成し、液体カーテン内に液体又はミストを供給し、液体カーテン内にプラズマを形成し、被処理物を処理する、処理方法にある。【選択図】        図１
2008027657.tif 000002
【特許請求の範囲】
【請求項１】
プラズマを発生するプラズマ発生部と、
液体カーテンを形成する液体供給部を備え、
プラズマを液体カーテンで覆う、プラズマ源。
【請求項２】
請求項１に記載のプラズマ源において、
液体供給部は、プラズマ発生部の下流にあるプラズマを液体カーテンで覆う、プラズマ源。
【請求項３】
請求項１に記載のプラズマ源において、
プラズマ内又は周囲に、気体又はミストを供給する気体・ミスト供給部を備えている、プラズマ源。
【請求項４】
請求項１に記載のプラズマ源において、
プラズマ発生部は、開口部を有し、
液体供給部は、開口部の周囲から液体を放出し、開口部前方にあるプラズマを液体カーテンで覆う、プラズマ源。
【請求項５】
請求項１に記載のプラズマ源において、
プラズマ発生部は、開口部を有し、
開口部に対向して配置される対向部材を備え
液体供給部は、開口部の周囲から液体を対向部材に向けて放出し、開口部前方にあるプラズマを液体カーテンと対向部材で覆う、プラズマ源。
【請求項６】
請求項１に記載のプラズマ源において、
プラズマを発生し、開口部を有するプラズマ発生部を備え、
液体供給部は、プラズマ発生部の周囲に液体を流してプラズマ発生部を冷却し、開口部の周囲から液体を放出し、開口部前方にあるプラズマを液体カーテンで覆う、プラズマ源。
【請求項７】
プラズマを液体カーテンで覆う液体供給部と、
液体供給部に対向して配置され、被処理物を保持する保持部と、を備え、
液体カーテンで覆われたプラズマで被処理物を処理する、処理装置。
【請求項８】
請求項７に記載の処理装置において、
被処理物をプラズマでドライ処理し、液体でウエット処理する、処理装置。
【請求項９】
請求項７に記載の処理装置において、
保持部は、被処理物を回転する、処理装置。
【請求項１０】
請求項７に記載の処理装置において、
プラズマを発生し、開口部を有するプラズマ発生部を備え、
液体供給部は、開口部の周囲から液体を放出し、開口部前方にあるプラズマを液体カーテンで覆う、処理装置。
【請求項１１】
請求項７に記載の処理装置において、
プラズマを発生し、開口部を有するプラズマ発生部と、
プラズマ発生部と液体供給部と保持部を収容するチャンバと、を備えている、処理装置。
【請求項１２】
液体カーテンを形成し、液体カーテン内に液体又はミストを供給し、液体カーテン内にプラズマを形成し、被処理物を処理する、処理方法。
【請求項１３】
液体カーテンで覆われたプラズマにより被処理物をドライ処理し、液体又はミストで被処理物をウエット処理する、処理方法。
【発明の詳細な説明】
【技術分野】
【０００１】
本発明は、プラズマを発生するプラズマ源と、プラズマを利用した被処理物の処理装置とその処理方法に関するものである。
【背景技術】
【０００２】
従来、プラズマ源を冷却する場合、冷却水や冷却ガスを循環させる方法と、例えば図１０（Ａ）のように冷却ガス７０を噴出する方法がある。冷却ガス７０は、プラズマ発生部１６の前方に移送されたプラズマ３０を包囲している。図１０（Ｂ）のようにプラズマ３０の前面に処理したい被処理物４４を配置した場合、冷却ガス７０を噴出すると、冷却ガス７０は、広がった形状となり、その中にプラズマ３０が配置される。この場合、冷却ガス７０は、乱流や拡散のためプラズマ３０中に混合する。また、冷却ガス７０を噴出しない場合もしくは別の方向に噴出する場合には、周囲の大気ガスがプラズマ３０中に混入し、プラズマ３０の純度を低下させる。
【発明の開示】
【発明が解決しようとする課題】
【０００３】
（１）本発明は、プラズマ中に周囲の不要なガスが混入しないようにすることにある。
（２）また、本発明は、不要なガスの混入の少ないプラズマで被処理物を処理する装置と方法を提供することにある。
（３）また、本発明は、プラズマでドライ処理をし、液体でウエット処理をする処理装置と処理方法を提供することにある。
（４）また、本発明は、プラズマとガスと液体とミストの全てもしくは２種もしくは３種の相互作用を利用する方法を提供することにある。
（５）また、本発明は、プラズマとガスと液体とミストを同時もしくは交互に利用する方法を提供することにある。
【課題を解決するための手段】
【０００４】
（１）本発明は、プラズマを発生するプラズマ発生部と、液体カーテンを形成する液体供給部を備え、プラズマを液体カーテンで覆う、プラズマ源にある。
（２）また、本発明は、プラズマを液体カーテンで覆う液体供給部と、液体供給部に対向して配置され、被処理物を保持する保持部と、を備え、液体カーテンで覆われたプラズマで被処理物を処理する、処理装置にある。
（３）また、本発明は、液体カーテンを形成し、液体カーテン内に液体又はミストを供給し、液体カーテン内にプラズマを形成する、処理方法にある。
【発明を実施するための最良の形態】
【０００５】
（プラズマ源）
プラズマ源は、アルゴン、ヘリウムなどのガスをプラズマ発生部でプラズマにするものである。プラズマ源は、プラズマ中に移送した試料の被処理物を分析したり、半導体ウエハなどの被処理物の表面を処理したり、又は、ＰＣＢ、フロンなどの被処理物の分解処理などに使用される。プラズマ源は、プラズマが発生でき、プラズマが利用できるものであればどのような構造でも良い。プラズマ源１０は、例えば図１に示すようにトーチ状の構造であり、キャリアガス筒体２０、プラズマガス筒体１２、液体用筒体２２を備え、プラズマガス筒体１２の内部にプラズマ発生部１６を有している。キャリアガス筒体２０は、分析用の試料や表面処理等の材料や処理物質などの試料をプラズマの中に移送するものである。これらの試料を移送するキャリアガスは、プラズマガスと同一もしくは異なったガスを使用することができる。また、キャリアガスを使用せずに、液体やミスト（霧）や気体状の物質をプラズマ中に移送することもできる。液体状の物質の場合は、霧吹き等によってエアロゾル状にして移送しても、あらかじめ気化して移送しても、液体のまま移送しても構わない。プラズマ源１０は、低気圧から大気圧以上の高気圧で利用できるプラズマを作成できる。なお、本発明では、プラズマとは、大部分が電離している状態でも、或いは、大部分が中性粒子で、一部が電離している状態をも含む。また、キャリアガス筒体２０、プラズマガス筒体１２、液体用筒体２２は、石英ガラスやセラミックスなどの材料で作製することができる。また、プラズマガス及びキャリアガスには、アルゴン、ヘリウムなどの希ガスのほかに、酸素、水素、窒素、メタン、フロン、空気、水蒸気など各種の気体若しくはこれらの混合物を用いることができる。
【０００６】
（プラズマガス筒体）
プラズマガス筒体１２は、例えば、キャリアガス筒体２０の外周に配置され、一部にプラズマ発生部１６を形成する。プラズマガス筒体１２は、円筒状の場合、キャリアガス筒体２０と同心円状に配置される。プラズマガス筒体１２は、プラズマガスをプラズマ発生部１６に移送する。プラズマガスは、プラズマ発生部１６で円筒の内壁面に沿って回転するように移送すると良い。そのために、プラズマガスを導入するプラズマガス導入管１４を図１に示すようにプラズマガス筒体１２の円周の接線方向に配置する。プラズマガスの流速をプラズマ発生部１６の導入部で速めるために、キャリアガス筒体２０とプラズマガス筒体１２の間隙を狭くする。そのために、キャリアガス筒体２０のプラズマ発生部１６側の部分を太径にするか、又は、図示していないがキャリアガス筒体１２の外周を全体に太径にしてもよい。プラズマガス筒体１２は、開口部１８を備えている。開口部１８は、プラズマ発生部１６の端に設けられる。プラズマは、開口部１８からプラズマ発生部１６の外部に送り出される。
【０００７】
（プラズマ発生部）
プラズマ発生部１６は、例えば、プラズマガス筒体１２の内部に形成され、一端がキャリアガス筒体２０の端部であり、他端は、キャリアガス筒体２０の開口部１８である。プラズマは、開口部１８から前方に排出される。プラズマガス筒体１２を液体により冷却すると、プラズマガス筒体１２の溶融を回避できるので、プラズマ発生部１６を長くすることができる。これにより、サンプリング深さを長く形成でき、分析感度を高めることができ、また、質量分析においては、分析感度を下げる原因となっている二次放電の影響を小さくすることができる。なお、プラズマ発生部１６は、本実施の形態では、プラズマガス筒体１２の内部の発生室を示しているが、室に限らず、プラズマを発生できれば、どのような空間でもよい。その場合、開口部１８は、発生したプラズマがその場所から移動する最初の箇所とする。
【０００８】
（液体用筒体）
液体用筒体２２は、例えば、液体をプラズマガス筒体１２の周囲に供給するものである。液体用筒体２２は、プラズマガス筒体１２の外周に配置される。液体用筒体２２は、円筒状の場合、プラズマガス筒体１２に同心円状に配置される。液体は、液体導入管２４から注入され、液体用筒体２２とプラズマガス筒体１２との間の空間を流れ、プラズマガス筒体１２を冷却することができる。液体用筒体２２は、プラズマガス筒体１２を覆うように配置される。液体は、プラズマガス筒体１２の外周を回転するように移送されると良い。そのために、液体導入管２４は、図１に示すように液体用筒体２２の円周の接線方向に配置される。液体導入管２４とプラズマガス導入管１４のなす角は、適当な角度を設けて、液体導入管２４とプラズマガス導入管１４が接近することなく、接続する配管の接続を容易にするとよい。液体の種類は、プラズマガス筒体１２を効率よく冷却でき、プラズマの安定を乱さないものであればよく、取り扱いが容易で、安価なものとしては水が適している。更には、液体として洗浄用化学薬品を用いることも出来る。洗浄用化学薬品とは、酸、アルカリ、アルコール、フロン系の薬品や水溶液のことを指す。または、必要に応じて、気液２相のガスと液体の混合体を用いても良い。
【０００９】
（液体供給部）
液体供給部３２は、液体の膜である液体カーテン３４を形成するものである。液体カーテン３４は、プラズマ発生部１６で形成されたプラズマを覆うものである。液体カーテン３４は、一種のチャンバとすることができる。プラズマは、液体カーテン３４内に形成することもできる。液体供給部３２は、例えば、液体用筒体２２を利用することができる。液体供給部３２は、液体用筒体２２の端部、即ち、プラズマ発生部１６の開口部１８付近に排出口２６を有している。排出口２６は、液体が液体用筒体２２から前方に噴出できる構造を有している。液体は、開口部１８の軸の周りを回転しながら排出口２６から排出されると良い。なお、液体供給部３２は、液体カーテン３４でプラズマを覆う構造であればよいので、液体用筒体２２を使用しない構成を取ることも可能である。液体供給部３２は、例えば、プラズマの周囲に液体カーテン３４を形成すると、プラズマ中に不要なガスの混入を防ぎ、プラズマの純度の低下を防止できる。なお、プラズマを覆うとは、プラズマの周囲全部を包囲する場合も、プラズマの周囲の一部を覆う場合もある。このようにプラズマを覆うことにより、外部の不要なガスが、プラズマ中に入り込むのを防止し、不要なガスの混合割合を低下することができる。また、液体カーテン３４として、場合によっては、霧やミストの膜で形成する場合も含めることができる。これにより、不要なガスの混合割合を低下することができる。
【００１０】
図２は、対向部材３６がプラズマ発生部１６に対向して配置されたプラズマ源１０の一部を示している。プラズマ３０は、一部、プラズマ発生部１６の外部の前方に存在する。液体供給部３２は、対向部材３６に向けて液体を噴出する。液体供給部３２は、プラズマ発生部１６の開口部１８の周囲から液体を噴出して、プラズマ３０の周囲に液体カーテン３４を形成する。液体カーテン３４と対向部材３６により、プラズマ３０を外気から遮蔽し、プラズマ３０中に不要なガスが混入するのを防止できる。液体供給部３２は、２種類以上の薬品を用いる場合には、液体供給部３２が２重構造となっていてもよいし、このためには、液体導入管２４が２箇所以上有っても構わない。また、液体供給部内で、２種類以上の薬品がミキシングできるようになっていてもよい。
【００１１】
（プラズマガス筒体の開口部と液体用筒体の排出口の形状）
排出口２６の形状は、液体カーテン３４の形状やプラズマ３０の安定性に重要な役割を演じている。図１のプラズマガス筒体１２の端部と液体用筒体２２の端部は、中心軸の同一位置で切断された形状になっている。これにより、液体は、軸方向に向けて外部に排出される。液体を液体用筒体２２の内周に沿って回転すると、排出口２６から排出される液体は、筒体の中心軸の回りの回転による遠心力、液体の表面張力、プラズマガスの圧力、外気圧など力のバランスにより、液体カーテン３４の形状が決まるものと考えられる。液体用筒体２２における液体の種類、流量、流速、回転速度、排出口の形状などにより、液体カーテン３４の形状を求めることができる。
【００１２】
プラズマガス筒体１２と液体用筒体２２の筒体端部は、用途に応じて種々の形状を取ることができる。図３は、プラズマトーチの液体供給部３２の端部の構造を示している。液体供給部３２の端部は、プラズマガス筒体１２と液体用筒体２２の筒体端部から構成される。液体供給部３２の端部は、例えば図３（Ａ）のように液体用筒体２２の端部がプラズマガス筒体１２の端部より突出するように形成することができる。この構成により、液体カーテン３４は、軸方向に沿って形成される。又は、図３（Ｂ）のようにプラズマガス筒体１２の端部が液体用筒体２２の端部より突出し、外周方向に傾斜しながら曲がるように形成することができる。又は、図３（Ｃ）のように液体用筒体２２の端部とプラズマガス筒体１２の端部が共に外周方向に傾斜しながら曲がるように形成することができる。図３（Ｄ）のように液体用筒体２２の端部はプラズマガス筒体１２の端部より突出し、内周方向に直角に曲がるように形成することができる。又は、図３（Ｅ）のようにプラズマガス筒体１２の端部が液体用筒体２２の端部より突出するように形成することができる。又は、図３（Ｆ）のように液体用筒体２２の端部がプラズマガス筒体１２の端部より突出し、液体用筒体２２の端部が内周方向に傾斜しながら曲がるように形成することができる。又は、図３（Ｇ）のように液体用筒体２２の端部とプラズマガス筒体１２の端部が共に外周方向に傾斜しながら曲がり、更に、液体用筒体２２の端部とプラズマガス筒体１２の端部が軸平行に突出するように形成することができる。なお、図３（Ｂ）において、プラズマガス筒体１２の端部は、ひさしと見ることができる。ひさしは、筒体端部から外側に広がるロート状の形状にする。広がる角度は、プラズマの安定性を乱すことなく、液体をプラズマから離す方向に排出する。同様に、他の図３の突出部もひさしと見ることができる。このようにプラズマガス筒体１２と液体用筒体２２の筒体端部の形状を各種の形状にすることにより、液体カーテン３４の形状を任意の形状に形成することができる
【００１３】
（プラズマ発生装置）
プラズマ発生装置２８は、プラズマガスをプラズマ状態にするものである。プラズマ発生装置２８は、例えば、液体用筒体２２の外周にロードコイルである誘導コイルを巻き、誘導コイルに高周波発振器を接続し、誘導コイルに高周波を印加する。プラズマ発生装置２８は、誘導結合プラズマ法の他に、空胴共振器などを用いたマイクロ波プラズマ法、平行平板や同軸型などの電極法など種々の方法を利用することができる。プラズマを発生するための電力は、直流から交流、高周波、マイクロ波以上まで、様々な形態で印加する事ができる。また、プラズマ発生部の外部からレーザー等の光を導入してプラズマを発生してもよい。また、プラズマは可燃ガス、可燃液体、可燃固体等の燃焼によって発生させてもよい。また、プラズマはこれらの方法を組み合わせることで発生させてもよい。
【００１４】
（各種プラズマ源の構造）
図４と図５は、各種プラズマ源の構造を示している。図４（Ａ）は、左方向からプラズマガスをプラズマ発生部に流し、電極５０、５０間で電圧を印加して、プラズマ１６０を形成する。液体カーテン３４は、液体供給部３４で形成される。プラズマ１６０は、プラズマジェットとなり、液体カーテン３４内を右方向に流れる。プラズマ１６０は、右方向に行くと、中性粒子が多くなり、電離している粒子の数が少なくなる。図４（Ｂ）は、左方向からプラズマガスをプラズマ発生部に流し、空洞共振器５２、５２でプラズマ１６０を形成する。プラズマ１６０は、マイクロ波プラズマであり、右方向の下流側に流れる。図４（Ｃ）は、左方向からプラズマガスをプラズマ発生部に流し、同軸電極５４、５４でプラズマ１６０を形成する。プラズマ発生室１６の開口部１８付近に網目状やメッシュ状電極５６を配置する。プラズマ１６０は、同軸プラズマであり、右方向の下流側に流れる。図４（Ｄ）は、左方向からプラズマガスをプラズマ発生部に流し、平行平板電極５０、５０でプラズマ１６０を形成する。プラズマ１６０は、平行平板プラズマである。図４（Ｅ）は、左方向からプラズマガスをプラズマ発生部に流し、プラズマニードルの電極５０でプラズマ１６０を形成する。針状電極５０は絶縁体５８の内部に固定されている。図４（Ｆ）は、左方向からプラズマガスをプラズマ発生部に流し、レーザー６０でプラズマ１６０を形成する。図４（Ｇ）は、左方向から連続の液体のビームである連続液体ターゲット６２をプラズマ発生部に流し、レーザー６０でプラズマ１６０を形成する。図４（Ｈ）は、左方向から間欠的に液体の粒である間欠液体ターゲット６４をプラズマ発生部に流し、レーザー６０でプラズマ１６０を形成する。図４（Ｉ）は、左方向から固体の固体ターゲット６６を供給し、プラズマ発生部においてレーザー６０でプラズマ１６０を形成する。図４（Ｊ）は、左方向から燃料を供給し、火炎により燃焼プラズマ１６２を形成する。なお、左方向からプラズマ発生部に試料のガスやミストを流しても良い。ガスは可燃ガスの他、ガス論などの可燃液体や固体を噴出、もしくは噴霧して燃焼しても良い。
【００１５】
図５（Ａ）は、プラズマ１６０から遠く離れて、液体カーテン３４が形成されるプラズマ源１０を示している。液体カーテン３４は、プラズマ１６０と一体ではなく、プラズマ発生装置２８の周囲を広く包囲する状態で形成しても良い。図５（Ｂ）は、液体カーテン３４とプラズマ１６０の間の空間にガス・ミストガス供給部３００により、他のガス、液体、液体ミストをプラズマ１６０に流している。図５（Ｃ）は、別のノズルのプラズマガス導入管１４やガス・ミストガス供給部３００によりガス、ミスト、液体、別のプラズマなどを供給する。図５（Ｄ）は、液体カーテン３４を一種のチャンバとして、液体カーテン３４の内部において、プラズマ発生装置２８のコイルによりプラズマ１６０を形成する。
【００１６】
（液体カーテンの例）
図６は、液体用筒体２２の排出口２６から桶の底に向けて水を噴出して液体カーテン３４を形成する実施例を示している。液体用筒体２２から噴出した液体カーテン３４は、桶の底にある水面に到達する。図６の実施例は、プラズマ発生部１６からガスの導入を行わない例である。液体カーテン３４は、排出口２６付近で一旦広がり、再び収束する形状を有している。この現象は、水を液体用筒体２２の内周に沿って回転させているので、排出口２６から噴出した水は、回転の遠心力により外周方向に広がり、その後、水の表面張力により内周方向に収束すると考えられる。この場合、水の流量は、３．３Ｌ（リットル）／分とした。液体用筒体２２の内径（直径）は１８ｍｍであり、プラズマガス筒体１２の外径（直径）は１６ｍｍである。従って、液体の流路の厚さは、（１８ｍｍ−１６ｍｍ）／２＝１ｍｍとなる。
【００１７】
図７は、図６と同様に、液体用筒体２２の排出口２６から水を噴出して液体カーテン３４を形成しているが、プラズマ発生部１６から液体カーテン３４の内側にプラズマもしくはガスを導入する実施例を示している。図７の液体カーテン３４は、端部が釣り鐘状に広がった形状になり、桶の底にある水面に到達する。図７の液体カーテン３４は、一旦外周方向に広がると、ガスの供給を止めても、釣り鐘状に広がった形状を保持している。この現象は、ガスが液体カーテン３４と桶の水面で閉じ込められていることを示していると考えられる。
【００１８】
図７の実施例において、液体用筒体２２の排出口２６と桶の水面の距離を約２０ｃｍ以上にすると、釣り鐘が割れて、図６の実施例の液体カーテンの形状に戻る。このことから、液体用筒体２２を用い、水を液体カーテン３４として利用する場合、液体用筒体２２の排出口２６と桶の水面の距離を約２０ｃｍまでにすると、プラズマ３０に外気のガスの混入を遮断することができる。この場合、図６の実施例と同様に、水の流量は、３．３Ｌ（リットル）／分とした。液体用筒体２２の内径（直径）は１８ｍｍであり、プラズマガス筒体１２の外径（直径）は１６ｍｍである。従って、液体の流路の厚さは、（１８ｍｍ−１６ｍｍ）／２＝１ｍｍとなる。
【００１９】
以下に、プラズマ源の使用例を説明する。
【００２０】
（処理装置）
図８は、プラズマ源１０を用いた処理装置４０を示している。処理装置４０は、シリコンウエハなどの被処理物４４を処理するものであり、チャンバ４６と、チャンバ４６内にプラズマ源１０と被処理物４４を保持する保持部４２とを備えている。プラズマ源１０は、プラズマ３０をプラズマ発生部１６から前方の外部に移送し、液体カーテン３４で外部のプラズマ３０を覆う。プラズマ３０は、被対象物４４のレジスト除去など表面を処理する。被処理物４４とその処理内容に応じて、プラズマガスの種類が決められる。また、被処理物４４をウエット処理する場合、液体は、処理の為の薬液とすることができ、処理内容に応じて薬液の種類が決められる。薬液は、液体供給部３０の代わりに、独立した薬液注入装置により、被処理部４４に注入しても良い。このように独立した薬液注入装置４８を使用すると、処理工程の自由度が増して、プラズマ３０によるドライ処理と、薬液によるウエット処理を同時に、又は並行して、又は、時系列に行うことができる。
【００２１】
保持部４２は、被処理物４４を保持し、必要に応じて被処理物４４を回転軸の周りで回転する。プラズマ源１０は、被処理物４４と対向して配置され、被処理物４４に対して相対的に離間運動と接近運動を行うことができる。また、プラズマ源１０は、被処理物４４に対して一定間隔を保ち、相対的に平行運動を行うことができる。この運動により、大きな被処理物４４に対してもプラズマ処理ができ、また、薬液処理ができる。
【００２２】
（処理方法）
プラズマ源１０を処理方法に利用すると、種々の処理が可能となる。プラズマ源１０は、例えば、プラズマとガスと液体とミストの全てを利用することができ、又は、これらの２種もしくは３種の相互作用を利用することができる。プラズマ源１０は、プラズマとガスと液体とミストを同時もしくは交互に利用することもできる。プラズマ源１０は、プラズマ１６０が点火していない状態で液体カーテン３４だけを形成し、液体カーテン３４内に別のガスやミストを導入したり、又は、液体カーテン３４で試料を冷却することもできる。
【００２３】
図９は、被処理物４４の処理方法を説明する。まず、プラズマ源１０と保持部４２をチャンバ４６内に配置する。次に、被処理物４４を保持部４２に載置して、固定する（Ｓ１）。プラズマ源１０を被処理物４４に対向して配置する（Ｓ２）。保持部４２を回転する（Ｓ３）。プラズマ３０を液体カーテン３４で覆う（Ｓ４）。これにより、外気など不要なガスがプラズマ３０内に混合するのを防止できる。プラズマ３０と薬液で被処理物４４の表面処理を行う（Ｓ５）。この表面処理は、プラズマ３０によるドライ処理と、薬液によるウエット処理を同時に、又は並行して、又は、時系列に行うことができる。
【００２４】
（質量分析）
質量分析は、例えば、プラズマ源１０と、図示していないがサンプラーと質量分析装置を用いて行われる。質量分析の方法は、分析すべき試料の被処理物をキャリアガスに乗せてプラズマ発生部１６に輸送して行われる。その際、プラズマガスは、プラズマガス導入管１４を通してプラズマガス筒体１２内を回転しながらプラズマ発生部１６に導入される。プラズマガスは、プラズマ発生部１６内で、一部がプラズマ発生装置によりプラズマになる。試料は、プラズマ発生部１６内に輸送されると、プラズマにより活性化された状態になり、プラズマと共にプラズマ発生部１６の開口部１８から前方に排出される。試料は、主に、プラズマ発生部１６の円筒状の中心部に存在しながら、開口部１８から前方に排出されるので、サンプラーの孔を通過し、質量分析装置に向かい、質量分析される。プラズマ発生部１６の大部分のガスやプラズマは、サンプラーで遮られて外周方向に排出される。液体は、プラズマガス筒体１２を冷却し、外周方向に排出され、液体カーテン３４となる。液体カーテン３４、プラズマに不要なガスが混入するのを防止する。
【００２５】
（分光分析）
分光分析は、例えば、プラズマ源１０と、図示しないが、レンズなどの集光装置と分光分析装置を用いて行われる。分光装置は、主に、プラズマ源１０の側部に配置され、プラズマ中の試料の被処理物が発する光を集光装置で集め、分光分析を行う。分光分析の方法は、分析すべき試料をキャリアガスに乗せてプラズマ発生部１６に輸送して行われる。その際、プラズマガスは、プラズマガス導入管１４を通してプラズマガス筒体１２内を回転しながらプラズマ発生部１６に導入され、プラズマ発生部１６内で、一部がプラズマ発生装置２８によりプラズマになる。試料は、プラズマ発生部１６内に輸送されると、プラズマにより活性化された状態になり、プラズマと共にプラズマ発生部１６の開口部１８から前方に排出される。試料は、主に、プラズマ発生部１６の円筒状の中心部に存在し、固有の光を発生しながら、開口部１８から外部に排出される。排出されても、試料は、プラズマ発生部１６の外部で固有の光を発生しながら、所定の間、プラズマガスと共に存在する。そこで、試料の固有の光を集光装置で集めて分光分析装置に送り、分光分析を行う。液体は、プラズマガス筒体１２を冷却し、外周方向に排出され、液体カーテン３４となる。液体カーテン３４は、プラズマに不要なガスが混入するのを防止する。
【００２６】
（分解処理）
プラズマ源１０は、ＰＣＢやフロンなど物質の分解処理を行うことができる。被処理物の物質をキャリアガス又はプラズマガスに混入させて、高温プラズマ中に導入することにより、物質を分解し、無害化することができる。液体は、プラズマガス筒体１２を冷却し、外周方向に排出され、液体カーテン３４となる。液体カーテン３４は、プラズマに不要なガスが混入するのを防止できる。
【００２７】
以上のように、本発明の実施の形態は、液体カーテン３４によりプラズマを包囲し、気体を遮断するので、大気中で高純度の処理が可能となる。また、本発明の実施の形態は、試料を容易にかつ簡単に冷却でき、また、被処理物に対して、ウエット処理とドライ処理を連続的に、同時に、又は時系列的に行うことができ、また、使用するプラズマガスを低減することができ、また、プラズマを安定化でき、また、プラズマトーチを長くでき、また、冷却トーチ部の形状を単純かつ安価にできるなど、有用な効果を得ることができる。
【図面の簡単な説明】
【００２８】
【図１】液体カーテンを形成するプラズマ源の概略図
【図２】液体の排出口に対向して配置された対向部材を備えるプラズマ源の説明図
【図３】液体供給部の端部の概略図
【図４】他のプラズマ源の概略図
【図５】他のプラズマ源の概略図
【図６】プラズマ発生部からガスを導入しない場合の液体カーテンの写真の図
【図７】プラズマ発生部からガスを導入する場合の液体カーテンの写真の図
【図８】プラズマ源を利用した処理装置の説明図
【図９】プラズマ源を利用した処理方法の流れ図
【図１０】従来の冷却ガスを利用したプラズマ源の説明図
【符号の説明】
【００２９】
１０・・・プラズマ源
１２・・・プラズマガス筒体
１４・・・プラズマガス導入管
１６・・・プラズマ発生部
１６０・・プラズマ
１６２・・燃焼プラズマ
１８・・・開口部
２０・・・キャリアガス筒体
２２・・・液体用筒体
２４・・・液体導入管
２６・・・排出口
２８・・・プラズマ発生装置
３０・・・ガス・ミスト
３００・・ガス・ミスト供給部
３２・・・液体供給部
３４・・・液体カーテン
３６・・・対向部材
４０・・・処理装置
４２・・・保持部
４４・・・被処理物
４６・・・チャンバ
４８・・・薬液注入装置
５０・・・電極
５２・・・空洞共振器
５４・・・同軸電極
５６・・・メッシュ状電極
５８・・・絶縁体
６０・・・レーザー
６２・・・連続液体ターゲット
６４・・・間欠液体ターゲット
６６・・・固体ターゲット
７０・・・冷却ガス
【図１】
2008027657.tif 000003
【図２】
2008027657.tif 000004
【図３】
2008027657.tif 000005
【図４】
2008027657.tif 000006
【図５】
2008027657.tif 000007
【図８】
2008027657.tif 000008
【図９】
2008027657.tif 000009
【図１０】
2008027657.tif 000010
【図６】
2008027657.tif 000011
【図７】
2008027657.tif 000012